(57)【要約】  自動レベリング機能を有する洗濯機脚および洗濯機において、洗濯機脚は脚受け（１）、可撓性収容体（２１）および調整脚（１９）を含む。前記脚受け（１）内に中空空洞（８）を有し、中空空洞（８）は気体を充填する空気室（４）を少なくとも含み、可撓性収容体（２１）は中空空洞（８）内に設置され、空気室（４）と通じる。前記可撓性収容体（２１）内部に収容空洞を有し、収容空洞内部に油圧媒体が充填され、圧力作用下で、油圧媒体は空気室（４）に流動することができる。前記調整脚（１９）の一端は中空空洞（８）内に相対して摺動可能に設置され、可撓性収容体（２１）は調整脚（１９）と接触または接続される。様々な圧力に対して、油圧媒体の流動性により脚に対する適切な調整を自動で行う。他に、油圧媒体は密封の可撓性収容体（２１）内に入れられる。該可撓性収容体（２１）は調整脚内部に配置され、油圧媒体が漏出する問題を効果的に解決する。【選択図】図１１
2019516440.tif 000002
【特許請求の範囲】
【請求項１】
自動レベリング機能を有する洗濯機脚であって、脚受け、可撓性収容体および調整脚を含み、前記脚受け内に中空空洞を有し、中空空洞は気体を充填する空気室を少なくとも含み、可撓性収容体は中空空洞内に設置され、空気室と通じる；
前記可撓性収容体内部に収容空洞を有し、収容空洞内部に油圧媒体が充填され、圧力作用下で、油圧媒体は空気室に流動する；
前記調整脚の一端は中空空洞内に相対して摺動可能に設置され、可撓性収容体は調整脚と接触または接続されることを特徴とする洗濯機脚。
【請求項２】
前記脚受けの中空空洞内にバルブプレートが設けられ、バルブプレートは中空空洞を上、下２つの空洞に隔て、上空洞は気体を充填する空気室である；
前記可撓性収容体の一端は開口であり、内部に収容空洞を有し、収容空洞内部に油圧場体が充填され；前記可撓性収容体は下空洞内に設置され、可撓性収容体の開口およびバルブプレートの間は密封接続され、バルブプレートに圧力作用下で油圧媒体を空気室に流動させる導通孔が設けられる；
前記調整脚の一端は、中空空洞の下空洞内に相対して摺動可能に設置されることを特徴とする、請求項１に記載の自動レベリング機能を有する洗濯機脚。
【請求項３】
前記脚受けは相互に接続されるシリンダ体およびスリーブを含み、シリンダ体およびスリーブ間にバルブプレートが設置され、バルブプレート上部はシリンダ体であり、シリンダ体の内部空洞は空気室であり、バルブプレート下部はスリーブである；
前記可撓性収容体はスリーブ内に設置され、前記調整脚の一端はスリーブ内に相対して摺動可能に設置されることを特徴とする、請求項２に記載の自動レベリング機能を有する洗濯機脚。
【請求項４】
前記シリンダ体、バルブプレート、およびスリーブはボルトにより共に締め付けられ、前記スリーブにおける上端部の内側に環状凹部を有し、前記可撓性収容体の開口における外向きのフランジは密封縁構造を形成する；
前記密封縁構造は環状凹部内に取り付けられ、シリンダ体、バルブプレート、およびスリーブを締め付けると、密封縁構造は環状凹部内にプレス嵌めされ、密封接続を実現することを特徴とする、請求項３に記載の自動レベリング機能を有する洗濯機脚。
【請求項５】
前記スリーブの端部に内輪ボスが設けられ、調整脚の端部に外輪ボスが設けられ；前記内輪ボスおよび外輪ボスは相互に係合され、調整脚がスリーブから抜けるのを防止することを特徴とする、請求項３に記載の自動レベリング機能を有する洗濯機脚。
【請求項６】
前記可撓性収容体は可撓性材料を採用して製造したジャバラ管構造であり、ジャバラ管構造の上端は開口で、下端は閉鎖され、閉鎖端は調整脚と接触または接続されることを特徴とする、請求項３に記載の自動レベリング機能を有する洗濯機脚。
【請求項７】
前記バルブプレートにオリフィスおよび／またはバルブ孔が設けられることを特徴とする、請求項３に記載の自動レベリング機能を有する洗濯機脚。
【請求項８】
前記シリンダ体は洗濯機底部と接続されるネジ付きスタッドを有することを特徴とする、請求項３に記載の自動レベリング機能を有する洗濯機脚。
【請求項９】
前記調整脚の内部に中空空洞を有し、調整脚をスリーブに取り付けると、可撓性収容体を包んでおり、圧力作用下で、可撓性収容体に作用すると、油圧媒体は空気室に流動し、可撓性収容体は調整脚を伸縮させ、自動レベリングを実現することを特徴とする、請求項３に記載の自動レベリング機能を有する洗濯機脚。
【請求項１０】
請求項１〜９のいずれか１項に記載の自動レベリング機能を有する洗濯機脚を有する洗濯機であって、筐体を含み、筐体の底部に複数の前記洗濯機脚が取り付けられ、洗濯機脚内部に充填される油圧媒体が、洗濯機脚内部および／または洗濯機脚間で流動し、レベリングを実現することができることを特徴とする洗濯機。
【発明の詳細な説明】
【技術分野】
【０００１】
本発明は洗濯機装置の技術分野に関し、具体的に、自動レベリング機能を有する洗濯機脚および洗濯機に関する。
【背景技術】
【０００２】
家電製品は、一般的に筐体の底部にレベリング装置が設けられ、家電製品を設置するとき、レベリング装置を調節することにより、安定した設置状態を達成することができる。レベリング後に設置すると、レベリング装置は家電製品を支持し、安定を保持することができる。
【０００３】
洗濯機を例とすると、図１に示すように、既存の洗濯機は一般的に筐体の底板９０１または洗濯機底部に脚が取り付けられる。脚はボルトＡ、ナットワッシャＢおよびラバーパッドＣを含み、ナットワッシャＢはボルトＡで上下に回転することができ、ボルトＡも底板９０１のネジ孔中で上下に回転することができ、脚のボルトＡが底板９０１のネジ孔に螺入される長さにより、洗濯機の高さの調整を実現する。大部分の洗濯機脚は、反時計回りに回転させると高くなり、時計回りに回転させると低くなる。該脚の高さを調整すると、緩みを防止するナットワッシャＢを締めて安定を保持する。
【０００４】
上記洗濯機の脚は洗濯機のレベリングを実現したが、ユーザが手動で調節する必要があり、洗濯機自体が比較的重いか、または設置空間が狭い場合、ユーザの操作が不便である。他に、洗濯機の長期に渡る動作過程での振動もレベリング脚に作用し、その支持が容易に機能しなくなり、洗濯機の設置が平らでなくなる。
【０００５】
例えば、既存の８ＫＧドラム式洗濯機は一般的に８０Ｋｇ前後であり、比較的重い。消費者の調節は極めて不便であり、たとえ調節を完了しても洗濯機の調整が最適な状態であると保証することはできない。洗濯機が洗濯で特に０ｒ／ｍｉｎから１４００ｒ／ｍｉｎ前後に加速して遠心脱水を行うとき、洗濯機に水平でない、またはガタが生じる問題が存在すると、極めて大きな振動を引き起こし、消費者の使用の快適さに極めて大きな影響を及ぼす。
【０００６】
他に、洗濯機が平らでないことによる振動で、脚のネジが緩むことがあり、脚のブラケットが垂直に移動する。この種の不安定さは、洗濯機の水平状態を変化させることがあり、より強烈な振動が生じる。この種の悪循環により、洗濯機を使用する時間は長くなり、騒音は次第に大きくなり、洗濯機自体にも一定のダメージを引き起こし、使用寿命を短くする。
【０００７】
したがって、既存の洗濯機のレベリングは手動で調節する必要があり、手間がかかり、精度が比較的劣る問題が存在する。
【０００８】
このことを考慮して、特に本発明を示す。
【発明の概要】
【発明が解決しようとする課題および課題を解決するための手段】
【０００９】
上記問題を解決するため、本発明における第１の発明の目的は、自動レベリング機能を有する洗濯機脚を提供することである。具体的に、以下の技術案を採用した。
自動レベリング機能を有する洗濯機脚は、脚受け、可撓性収容体および調整脚を含む。前記脚受け内に中空空洞を有し、中空空洞は気体を充填する空気室を少なくとも含み、可撓性収容体は中空空洞内に設置され、空気室と通じる。
前記可撓性収容体内部に収容空洞を有し、収容空洞内部に油圧媒体が充填され、圧力作用下で、油圧媒体は空気室に流動することができる。
前記調整脚の一端は中空空洞内に相対して摺動可能に設置され、可撓性収容体は調整脚と接触または接続される。
【００１０】
さらに、前記脚受けの中空空洞内にバルブプレートが設けられ、バルブプレートは中空空洞を上、下２つの空洞に隔て、上空洞は気体を充填する空気室である。
前記可撓性収容体の一端は開口であり、内部に収容空洞を有し、収容空洞内部に油圧媒体が充填される。前記可撓性収容体は下空洞内に設置され、可撓性収容体の開口およびバルブプレートの間は密封接続され、バルブプレートに圧力作用下で油圧媒体を空気室に流動させる導通孔が設けられる。
前記調整脚の一端は、中空空洞の下空洞内に相対して摺動可能に設置される。
【００１１】
さらに、前記脚受けは相互に接続されるシリンダ体およびスリーブを含み、シリンダ体およびスリーブ間にバルブプレートが設置される。バルブプレート上部はシリンダ体であり、シリンダ体の内部空洞は空気室であり、バルブプレート下部はスリーブである。
前記可撓性収容体はスリーブ内に設置され、前記調整脚の一端はスリーブ内に相対して摺動可能に設置される。
【００１２】
さらに、前記シリンダ体、バルブプレート、およびスリーブは、ボルトにより共に締め付けられる。前記スリーブにおける上端部の内側に環状凹部を有し、前記可撓性収容体の開口における外向きのフランジは密封縁構造を形成する。
前記密封縁構造は環状凹部内に取り付けられ、シリンダ体、バルブプレート、およびスリーブを締め付けると、密封構造は環状凹部内にプレス嵌めされ、密封接続を実現する。
【００１３】
さらに、前記スリーブの端部に内輪ボスが設けられ、調整脚の端部に外輪ボスが設けられる。前記内輪ボスおよび外輪ボスは相互に係合され、調整脚がスリーブから抜けるのを防止する。
【００１４】
さらに、前記可撓性収容体は可撓性材料を採用して製造したジャバラ管構造であり、ジャバラ管構造の上端は開口で、下端は閉鎖され、閉鎖端は調整脚と接触または接続される。
【００１５】
さらに、前記バルブプレートにオリフィスおよび／またはバルブ孔が設けられる。
【００１６】
さらに、前記シリンダ体は、洗濯機底部と接続されるネジ付きスタッドを有する。
【００１７】
さらに、前記調整脚の内部に中空空洞を有し、調整脚をスリーブに取り付けると、可撓性収容体を包んでいる。圧力作用下で、可撓性収容体に作用すると、油圧媒体は空気室に流動し、可撓性収容体は調整脚を伸縮させ、自動レベリングを実現する。
【００１８】
本発明における第２の発明の目的は、洗濯機を提供することである。具体的に、以下の技術案を採用した。
上記自動レベリング機能を有する洗濯機脚を有する洗濯機は筐体を含み、筐体の底部に複数の前記洗濯機脚が取り付けられる。洗濯機脚の内部に充填される油圧媒体は、洗濯機脚内部および／または洗濯機脚間で流動し、レベリングを実現することができる。
【００１９】
本発明の自動レベリング機能の洗濯機脚は、油圧の原理に基づき、脚中に油圧媒体が充填される。脚は様々な圧力に対して、油圧媒体の流動性により脚に対する適切な調整を自動で行う。
【００２０】
他に、本発明の自動レベリング機能の洗濯機脚は、油圧媒体が密封の可撓性収容体内に入れられる。該可撓性収容体は調整脚内部に配置され、油圧媒体が漏出する問題を効果的に解決し、脚の動作の安定性を確実に保証する。
【００２１】
したがって、本発明における洗濯機脚の構造は簡単で、コストは低く、使用は便利で、信頼性が高い。振動を顕著に低下させ、騒音を低下させることができ、洗濯機のユーザ体験における快適さを高める。
【図面の簡単な説明】
【００２２】
【図１】図１は、既存の家電製品における脚の構造概要図である。
【図２】図２は、本発明の実施例における洗濯機脚の構造概要図である。
【図３】図３は、本発明の別の実施例における洗濯機脚の構造概要図である。
【図４】図４は、本発明の別の実施例における洗濯機脚の構造概要図である。
【図５】図５は、本発明の別の実施例における洗濯機脚の構造概要図である。
【図６】図６は、本発明の実施例における洗濯機脚の取付概要図である。
【図７】図７は、本発明の別の実施例における洗濯機脚の取付概要図である。
【図８】図８は、本発明の別の実施例における洗濯機脚の取付概要図である。
【図９】図９は、本発明の別の実施例における洗濯機脚の取付概要図である。
【図１０】図１０は、本発明の別の実施例における洗濯機脚の構造概要図である。
【図１１】図１１は、本発明の図１０に示す洗濯機脚の断面図である。
【図１２】図１２は、本発明の図１０に示す洗濯機脚の分解図である。
【図１３】図１３は、本発明の実施例における洗濯機脚の動作状態の概要図である。
【発明を実施するための形態】
【００２３】
以下、図を組み合わせて、本発明における自動レベリング機能の洗濯機脚および洗濯機について詳細に記載する。
本実施例における自動レベリング機能の洗濯機脚は、固定部および可動部を含む。固定部および可動部間に中空空洞が形成され、中空空洞内に油圧媒体が充填される。圧力作用下で、前記油圧媒体は脚内部の中空空洞および／または脚間の中空空洞で流動し、可動部の伸縮を実現することができ、自動レベリングを行う。
【００２４】
本実施例における洗濯機脚は、一定の圧力作用下で、油圧媒体が気体を圧縮し、可動部はこれに伴って適切に伸縮する。圧力がさらに増大すると、気体はこれ以上圧縮されず、気体の内部圧力は油圧媒体に反作用し、可動部はこれに伴って充分な支持力を有するため、本実施例における洗濯機脚は適切な自動レベリング機能を有する。本実施例の油圧媒体は、具体的に油圧作動油を選択することができる。
【００２５】
本実施例における自動レベリング機能の洗濯機脚は、油圧の原理に基づき、脚中に油圧媒体が充填される。脚は様々な圧力に対して、油圧媒体の流動性により脚に対する適切な調整を自動で行う。
【００２６】
したがって、本実施例における洗濯機脚の構造は簡単で、コストは比較的低く、使用は便利で、信頼性が高い。振動を顕著に低下させ、騒音を低下させることができ、洗濯機のユーザ体験における快適さを高める。
【００２７】
図６、図７、図８および図９に示すように、本発明はドラム式洗濯機を例に挙げて説明する。ドラム式洗濯機は、
衣類を入れて洗濯する洗濯ドラム１４と；
粉末洗剤、液体洗剤または柔軟剤などを入れる洗剤ケース１２と；
洗濯機を操作する操作パネル１３と；
開いて衣類を取り出すか、または投入するドア１１と；
少なくとも１つの回転可能な伝動軸と接続され、少なくとも１つの出力を実現するモータモジュールと；
洗濯機全体の枠組みおよび外観を保持する筐体９と；
下面に本実施例の洗濯機脚を取り付ける底板９０１と；を含む。
【実施例】
【００２８】
実施例１
図６に示すように、本実施例における筐体９の底板９０１の４つの角に、または筐体９の底板９０１の円周方向に沿って、少なくとも４つの脚１０が均等に設置される。各脚１０内に油圧媒体および気体が充填され、様々な圧力下で、各脚１０内の油圧媒体および気体間の相互作用により可動部の伸縮を実現し、自動レベリングを行う。
【００２９】
本実施例の脚１０は独立して設置され、各脚１０中の油圧媒体および一部の気体は、様々な圧力下において、各脚１０の中空空洞８内で相互に流動することができ、様々な圧縮量を実現する。さらには大きな圧力を受けた脚１０の圧縮量は大きく、小さな圧力を受けた脚１０の圧縮量は小さいことを実現し、これにより洗濯機のレベリングを自動的に実現する。
【００３０】
さらに、本実施例の洗濯機脚は、洗濯機の洗濯、脱水過程で不平衡の負荷を自らレベリングすることもでき、これにより、より低い振動およびより小さな騒音を実現する。
【００３１】
図１に示すように、本実施例における脚の構造は、脚受け１およびプランジャ構造２を含む。脚受け１内は空気室４および油室３に隔てられ、油室３内に油圧媒体が充填され、空気室４および油室３はオリフィス５、バルブ孔６を介して相互に通じる。前記プランジャ構造２の一端は栓体２０１を有し、栓体２０１は油室３内に相対して摺動可能に設置され、さらに油室３の密封を保持し、プランジャ構造２のもう一端は支持体２０２を有する。
【００３２】
本実施例のプランジャ構造２が圧力を受けたとき、油圧媒体は油室３からオリフィス５、バルブ孔６を介して空気室４に流動することができる。圧力が大きいほど、プランジャ構造２は圧縮されて脚受け１に進入する長さが長くなり、さらには高さの自動調節を実現する。
【００３３】
図４に示すように、本実施例のもう１つの脚の構造において、脚は脚受け１およびプランジャ構造２を含み、脚受け１内部に中空空洞８を有する。プランジャ構造２の一端は栓体２０１を有し、栓体２０１は中空空洞８内に相対して摺動可能に設置され、さらに密封を保持して密閉空洞を形成する。前記密閉空洞内に油圧媒体が充填され、油圧媒体の体積は密閉空洞の最大容積より小さい。
【００３４】
本実施例の脚は１つの中空空洞８のみを有するため、プランジャ構造２が圧力を受けたとき、油圧媒体がこれに伴って流動することを実現する必要がある場合、中空空洞８内に一部の気体を充填する必要がある。したがって、油圧媒体の体積は密閉空洞の最大容積より小さい。
【００３５】
本実施例のプランジャ構造２が圧力を受けたとき、油圧媒体は密閉空洞内の気体を圧縮する。圧力が大きいほど、プランジャ構造２は圧縮されて脚受け１に進入する長さが長くなり、さらには高さの調節を実現する。
【００３６】
実施例２
図７、図８および図９に示すように、本実施例における筐体９の底板９０１の４つの角に、または筐体９の底板９０１の円周方向に沿って、少なくとも４つの脚１０が均等に設置され、前記脚１０のうち少なくとも２つは相互に通じる。各脚１０内に油圧媒体および気体が充填され、第１の圧力範囲内で、各脚１０内の油圧媒体および気体間の相互作用により可動部の伸縮を実現し、自動レベリングを行う。第２の圧力範囲内で、相互に通じる脚１０内の油圧媒体および気体間の相互作用により可動部の伸縮を実現し、自動レベリングを行う。
【００３７】
本実施例の脚１０間は相互に通じ、これにより脚１０内部の油圧媒体はそれ自体の内部で流動することができるだけでなく、脚１０間で流動することもできる。このうちの１つの脚１０が力を受けて圧縮するとき、油圧媒体はこれと通じるもう１つの脚に流動し、もう１つの脚内の油圧媒体が多くなり、圧力が増大して脚が延出し、これにより充分な支持力を確実に保証する。
【００３８】
図３に示すように、本実施例の脚の構造は脚受け１、プランジャ構造２、および少なくとも１本の高圧油管７を含む。脚受け内は空気室４および油室３に隔てられ、油室３内に油圧媒体が充填され、空気室４および油室３はオリフィス５、バルブ孔６を介して相互に通じる。前記プランジャ構造２の一端は栓体２０１を有し、栓体２０１は油室３内に相対して摺動可能に設置され、さらに油室３の密封を保持し、プランジャ構造２のもう一端は支持体２０２を有する。前記高圧油管７は、２つの脚の空気室４にそれぞれ通じる。
【００３９】
図５に示すように、本実施例の脚の構造は、脚受け１、プランジャ構造２、および少なくとも１本の高圧油管７を含み、脚受け１内部に中空空洞８を有する。プランジャ構造２の一端は栓体２０１を有し、栓体２０１は中空空洞８内に相対して摺動可能に設置され、さらに密封を保持して密閉空洞を形成する。前記密閉空洞内に油圧媒体が充填され、油圧媒体の体積は密閉空洞の最大容積より小さい。前記密閉空洞の最上部にオリフィス５およびバルブ孔６がそれぞれ設けられ、高圧油管７は２つの脚のオリフィス５および２つの脚のバルブ孔６にそれぞれ通じる。
【００４０】
本実施例の脚は４つ含まれ、相互に通じる２組の脚セットに分けられる。隣接する２つの脚間、または対角に設置される２つの脚間はそれぞれ相互に通じる。
【００４１】
具体的に、図７に示すように、洗濯機の底板９０１の４つの角に４つの脚が取付、固定される。複数の高圧油管７が形成する第１高圧油管セット７０１は、洗濯機の底板９０１における左側の２つの脚と通じ、第１脚セット１００１を構成する。複数の高圧油管７が形成する第２高圧油管セット７０２は、洗濯機の底板９０１における右側の２つの脚と通じ、第２脚セット１００２を構成する。
【００４２】
このように、第１脚セット１００１の油圧媒体および一部の気体は、様々な圧力下で、この２つの脚間で相互に流動することができる。第２脚セット１００２の油圧媒体および一部の気体は、様々な圧力下で、この２つの脚間で相互に流動することができる。
【００４３】
図８に示すように、洗濯機の底板９０１の４つの角に４つの脚が取付、固定される。複数の高圧油管７が形成する第３高圧油管セット７０３は、洗濯機の底板９０１における後面の２つの脚と通じ、第３脚セット１００３を構成する。複数の高圧油管７が形成する第４高圧油管セット７０４は、洗濯機の底板９０１における前面の２つの脚と通じ、第４脚セット１００４を構成する。
【００４４】
このように、第３脚セット１００３の油圧媒体および一部の気体は、様々な圧力下で、この２つの脚間で相互に流動することができる。第４脚セット１００４の油圧媒体および一部の気体は、様々な圧力下で、この２つの脚間で相互に流動することができる。
【００４５】
図９に示すように、筐体９の底板９０１の４つの角に、または筐体９の底板の円周方向に沿って、相互に通じる少なくとも４つの脚１０が均等に設置される。各脚１０内に油圧媒体および気体が充填され、第１の圧力範囲内で、各脚１０内の油圧媒体および気体間の相互作用により可動部の伸縮を実現し、自動レベリングを行う。第２の圧力範囲内で、相互に通じる脚１０内の油圧媒体および気体間の相互作用により可動部の伸縮を実現し、自動レベリングを行う。この方式は、全ての脚間が通じることを実現し、液体媒体が全ての脚間で流動することができ、調整範囲はより大きく、調整効果はより良好である。
【００４６】
具体的に、前記脚１０内部に、油圧媒体および気体を充填する密閉空洞を有し、前記密閉空洞に少なくとも１本の高圧油管７が通じる。各前記脚１０の高圧油管７はそれぞれ連通装置１５に通じ、これにより全ての脚１０間が相互に通じることを実現する。
【００４７】
したがって、本実施例の洗濯機脚は、大きな圧力を受けた脚の圧縮量が大きく、小さな圧力を受けた脚は油圧の作用下で伸長することもできることを実現し、さらには洗濯機のレベリングを自動的に実現する。同時に、本実施例の洗濯機脚は、洗濯機の洗濯、脱水過程で不平衡の負荷を自らレベリングすることもでき、これにより、より低い振動およびより小さな騒音を実現する。
【００４８】
実施例３
図１０、図１１および図１２に示すように、本実施例の自動レベリング機能を有する洗濯機脚は、脚受け、可撓性収容体２１および調整脚１９を含む。前記脚受け内に中空空洞を有し、中空空洞は気体を充填する空気室４を少なくとも含み、可撓性収容体２１は中空空洞内に設置され、空気室４と通じる。
【００４９】
前記可撓性収容体２１内部に収容空洞を有し、収容空洞内部に油圧媒体が充填され、圧力作用下で、油圧媒体は空気室４に流動することができる。
【００５０】
前記調整脚１９の一端は中空空洞内に相対して摺動可能に設置され、可撓性収容体２１は調整脚１９と接触または接続される。
【００５１】
本実施例における自動レベリング機能の洗濯機脚は、油圧の原理に基づき、脚中に油圧媒体が充填される。脚は様々な圧力に対して、油圧媒体の流動性により脚に対する適切な調整を自動で行う。
【００５２】
他に、本実施例における自動レベリング機能の洗濯機脚は、油圧媒体が密封の可撓性収容体２１内に入れられる。該可撓性収容体２１は調整脚１９内部に配置され、油圧媒体が漏出する問題を効果的に解決し、脚の動作の安定性を確実に保証する。
【００５３】
したがって、本実施例における洗濯機脚の構造は簡単で、コストは低く、使用は便利で、信頼性が高い。振動を顕著に低下させ、騒音を低下させることができ、洗濯機のユーザ体験における快適さを高める。
【００５４】
具体的に、本実施例における前記脚受けの中空空洞内にバルブプレート１７が設けられ、バルブプレート１７は中空空洞を上、下２つの空洞に隔て、上空洞は気体が充填される空気室４である。前記可撓性収容体２１の一端は開口であり、内部に収容空洞を有し、収容空洞内部に油圧媒体が充填される。前記可撓性収容体２１は下空洞内に設置され、可撓性収容体２１の開口およびバルブプレート１７の間は密封接続され、バルブプレート１７に圧力作用下で油圧媒体を空気室に流動させる導通孔が設けられる。前記調整脚１９の一端は、中空空洞の下空洞内に相対して摺動可能に設置される。
【００５５】
本実施例における脚受けの中空空洞は相互に通じる２つの空洞に隔てられ、このうちの１つの空洞は空気室４であり、もう１つの空洞内に可撓性収容体２１が設置される。同時に調整脚１９も中空空洞の下空洞内に相対して摺動可能に設置され、これにより可撓性収容体２１は調整脚１９と中空空洞の下空洞との間の密閉空洞内にある。調整脚１９が圧力を受けて収縮するとき、可撓性収容体２１を押し出し、可撓性収容体２１内の油圧媒体は押し出されて流動し、自動レベリングを実現する。
【００５６】
さらに、前記脚受けは相互に接続されるシリンダ体１６およびスリーブ１８を含み、シリンダ体１６およびスリーブ１８間にバルブプレート１７が設置される。バルブプレート１７上部はシリンダ体１６であり、シリンダ体１６の内部空洞は空気室４であり、バルブプレート１７下部はスリーブ１８である。前記可撓性収容体２１はスリーブ１８内に設置され、前記調整脚１９の一端はスリーブ１８内に相対して摺動可能に設置される。
【００５７】
本実施例は、バルブプレート１７、シリンダ体１６、およびスリーブ１８を組み立てるとき、可撓性収容体２１内の油圧媒体の流動のため、組立の密封性を保持する必要がある。したがって、本実施例の前記シリンダ体１６、バルブプレート１７、およびスリーブ１８は、ボルトにより共に締め付けられ、シリンダ体１６、バルブプレート１７、およびスリーブ１８にそれぞれ対応してネジ孔２４が設けられる。前記スリーブ１８における上端部の内側に環状凹部１８０２を有し、前記可撓性収容体２１の開口における外向きのフランジは密封縁構造２１０１を形成する。前記密封縁構造２１０１は環状凹部１８０２内に取り付けられ、シリンダ体１６、バルブプレート１７、およびスリーブ１８を締め付けると、密封縁構造２１０１は環状凹部１８０２内にプレス嵌めされ、密封接続を実現する。
【００５８】
さらに、本実施例のバルブプレート１７およびシリンダ体１６間にガスケット２２が設けられ、両者の間の密封接続を保持し、空気漏れ、油漏れを防止する。
【００５９】
本実施例のスリーブ１８の端部に内輪ボス１８０１が設けられ、調整脚１９の端部に外輪ボス１９０１が設けられる。前記内輪ボス１８０１および外輪ボス１９０１は相互に係合され、本実施例の内輪ボス１８０１および外輪ボス１９０１を組み合わせるとロック機構２３が形成され、調整脚１９がスリーブ１８から抜けるのを防止する。
【００６０】
さらに、内輪ボス１８０１の直径は外輪ボス１９０１の直径より小さく、調整脚１９に対するロック機能を有する。調整脚１９が随意にスリーブ１８から脱落することができ、可撓性収容体２１が無限に膨張して、スリーブ１８が高圧で破裂する、または可撓性収容体２１が直接床に接触し、鋭い物で破裂するのを防止する。
【００６１】
本実施例の可撓性収容体２１は可撓性材料を採用して製造したジャバラ管構造であり、ジャバラ管構造の上端は開口で、下端は閉鎖され、閉鎖端は調整脚と接触または接続される。可撓性収容体２１は可撓性材料を採用してより良好な変形を有するように製造され、これにより調整脚１９の伸縮、押出に適応する。ジャバラ管構造により大きな圧力作用下で圧縮し、小さな圧力下で回復することができる。
【００６２】
本実施例のバルブプレート１７にオリフィス５および／またはバルブ孔６が設けられ、オリフィス５により油圧媒体および気体はゆっくりと通過することができる。バルブ孔６にバルブ片２５が設置され、これにより脚が突然大きな力を受けるか、または大きな圧力を受ける状況下で、バルブ孔６を密封してスロットル調整し、油圧媒体の圧力が過度に大きいために脚が故障するのを防止する。
【００６３】
本実施例のシリンダ体１６は、洗濯機底部と接続されるネジ付きスタッド２０を有し、ネジ付きスタッド２０は直接洗濯機底板のネジ孔中に螺入することができる。当然、ネジ付きスタッド２０を廃止し、いくつかの貫通孔構造を設置し、ボルトまたはネジにより脚を底板９０１に固定することができることを連想することができる。
【００６４】
本実施例の調整脚１９の内部に中空空洞を有し、調整脚１９をスリーブ１８に取り付けると、可撓性収容体２１を包んでいる。圧力作用下で、可撓性収容体２１に作用すると、油圧媒体は空気室４に流動し、可撓性収容体２１は調整脚１９を伸縮させ、自動レベリングを実現する。
【００６５】
本実施例における洗濯機脚は気体を弾性媒体とし、液体媒体を圧力伝達媒体とする。良好な緩衝能力を有するだけでなく、制振作用も有し、さらに受けた圧力の大きさに基づいて、脚自体の高さを調節することもできる。
【００６６】
脚の負荷が大きいとき、調整脚１９が上に移動して、油圧媒体を充満させた可撓性収容体２１の中空空洞の容積が小さくなり、油圧媒体はオリフィス５またはバルブ孔６を通過して空気室４に進入せざるを得なくなる。空気室４の容積が小さくなり、気体の圧力が上昇し、脚全体の高さが低くなる。外部の負荷が気体、油圧媒体の圧力と等しいとき、調整脚１９は上に移動するのを停止するため、調整脚１９が上に移動してスリーブ１８に進入する距離は、受ける負荷の大きさと関係する。このとき、調整脚１９および洗濯機底板９０１の相対位置はこれ以上変化せず、洗濯機脚の自動調整が完了する。
【００６７】
図１３に示すように、レベリングの原理を具体的に解説する。洗濯機を取り付けると、床２６は平らでないため、異なる脚の水平高さは異なり、床の窪み２６０１部分に位置する脚の位置は低い。これにより、位置が高い部分の脚が先に洗濯機の重量を受け、さらに受ける重力は大きく、位置が低い脚はガタが生じるか、または受ける重力が小さいことがわかる。位置が高い部分の脚の調整脚は大きな圧力下で上に移動し、脚全体の高さは低くなる。油圧作動油を充満させた可撓性収容体の中空空洞の容積は圧縮されて小さくなり、油圧媒体はオリフィスまたはバルブ孔に進入し、高圧油管セットを通過して位置が低い部分の脚内に進入せざるを得なくなる。位置が低い部分の脚における可撓性収容体の油圧媒体は次第に多くなり、これにより可撓性収容体は膨張して調整脚の伸長を推進する。
【００６８】
位置が高い部分の脚および位置が低い部分の脚の油圧が同じであるとき、油圧媒体はこれ以上高圧油管セットから流動せず、調整脚および洗濯機の底板の相対位置はこれ以上変化せず、洗濯機脚の自動調整は完了する。
【００６９】
洗濯機の洗濯または脱水過程において、油圧媒体はゆっくりと流動して自らレベリングを行うこともでき、洗濯機の振動、騒音は大幅に低下する。
【００７０】
本実施例は、上記自動レベリング機能を有する洗濯機脚を有する洗濯機を同時に提供している。筐体９を含み、筐体９の底部に複数の前記洗濯機脚が取り付けられる。洗濯機脚内部に充填される油圧媒体は、洗濯機脚内部および／または洗濯機脚間で流動し、レベリングを実現することができる。
【００７１】
本実施例の洗濯機は、出荷、設置される際、好ましくは洗濯機脚の高さは４つとも一致している。洗濯機を平らでない底面にランダムに設置すると、４つの洗濯機脚は底面が平らでない状況に基づき、異なる圧力を受け、調整脚がスリーブに圧入する長さが異なり、さらには洗濯機の自動レベリングを実現する。
【００７２】
上記実施例について、以下をさらに説明する必要がある。
１、本発明の実施例における脚は２つずつつながり、３つないしそれ以上でもよい。数量Ｎ≧２で、好ましくは２つであり、コストは最も低く、さらに比較的良好な効果を実現することができる。
【００７３】
本発明の実施例において、連通装置１５の４つのポートを使用して、４つの脚がそれぞれ接続されるが、これにより３、５、６、Ｎ個のポートを有する１つの連通装置１５を使用して、前記ポートに３、５、６、Ｎ個の脚がそれぞれ接続されると推理することができる。上記実施例は前記機能を実現することができる状況下で、最も適切な４つを使用したに過ぎず、これによりコストを最も低く制御することを実現する。
【００７４】
２、本発明の実施例はドラム式洗濯機を例とし、本発明がドラム式洗濯機の自動レベリングを実現する原理および方法を詳述した。本発明をパルセータ式洗濯機に応用することができることを容易に連想することができる。
【００７５】
３、本発明の実施例は洗濯機を例とし、本発明が洗濯機の自動レベリングを実現する原理および方法を詳述した。本発明を冷蔵庫、冷凍庫、食器洗浄器など家電製品に応用することができることを容易に連想することができる。
【００７６】
以上の記載は本発明の好ましい実施例に過ぎず、本発明をどのような形式でも制限しない。本発明は好ましい実施例により上記のように開示したが、本発明を限定するものではない。当業者は本発明の技術案を逸脱しない範囲内で、上記に示した技術内容を利用して均等変化した等価実施例に変更または修飾することができる。しかし、本発明の技術案の内容を逸脱せずに、本発明の技術的本質に基づき、以上の実施例に対して行う簡単な修正、均等変化および修飾は、いずれも本発明案の範囲内に属する。
【符号の説明】
【００７７】
１  脚受け
２  プランジャ構造
２０１  栓体
２０２  支持体
３  油室
４  空気室
５  オリフィス
６  バルブ孔
７  高圧油管
７０１  第１高圧油管セット
７０２  第２高圧油管セット
７０３  第３高圧油管セット
７０４  第４高圧油管セット
８  中空空洞
９  筐体
９０１  底板
１０  脚
１００１  第１脚セット
１００２  第２脚セット
１００３  第３脚セット
１００４  第４脚セット
１１  ドア
１２  洗剤ケース
１３  操作パネル
１４  洗濯ドラム
１５  連通装置
１６  シリンダ体
１７  バルブプレート
１８  スリーブ
１８０１  内輪ボス
１８０２  環状凹部
１９  調整脚
１９０１  外輪ボス
２０  ネジ付きスタッド
２１  可撓性収容体
２１０１  密封縁構造
２２  ガスケット
２３  ロック機構
２４  ネジ孔
２５  バルブ片
２６  床
２６０１  床の窪み
【図１】
2019516440.tif 000003
【図２】
2019516440.tif 000004
【図３】
2019516440.tif 000005
【図４】
2019516440.tif 000006
【図５】
2019516440.tif 000007
【図６】
2019516440.tif 000008
【図７】
2019516440.tif 000009
【図８】
2019516440.tif 000010
【図９】
2019516440.tif 000011
【図１０】
2019516440.tif 000012
【図１１】
2019516440.tif 000013
【図１２】
2019516440.tif 000014
【図１３】
2019516440.tif 000015
【国際調査報告】
2019516440.tif 000016
2019516440.tif 000017
2019516440.tif 000018
2019516440.tif 000019